(57)【要約】      （修正有）【課題】バッテリーターミナル本体とスタッドボルトとを分別することが可能なバッテリーターミナルを提供する。【解決手段】軸部１６及び頭部１３を有するスタッドボルト６と、軸部１６を挿通するための軸部挿通孔を有するバッテリーターミナル本体３２とを備えてバッテリーターミナル３１を構成する。また、この構成の他にバッテリーターミナル３１は、バッテリーターミナル本体３２に嵌合してスタッドボルト６の頭部１３を押さえる着脱式の頭部押さえ具３３を更に備える。頭部押さえ具３３は樹脂製とする。頭部押さえ具３３を着脱式にすることで、バッテリーターミナル本体３２とスタッドボルト６との分別を行えるようにする。【選択図】図１
2007165176.tif 000002
【特許請求の範囲】
【請求項１】
軸部及び頭部を有するスタッドボルトと、前記軸部を挿通するための軸部挿通孔を有するバッテリーターミナル本体とを備えるバッテリーターミナルにおいて、
前記バッテリーターミナル本体に嵌合して前記頭部を押さえる着脱式の頭部押さえ具を更に備える
ことを特徴とするバッテリーターミナル。
【請求項２】
請求項１に記載のバッテリーターミナルにおいて、
前記頭部押さえ具を樹脂製とする
ことを特徴とするバッテリーターミナル。
【発明の詳細な説明】
【技術分野】
【０００１】
本発明は、バッテリーのバッテリーポストに取り付くバッテリーターミナルに関する。
【背景技術】
【０００２】
図３において、引用符号１はバッテリーに設けられたバッテリーポストに取り付くバッテリーターミナルを示している。このバッテリーターミナル１は、バッテリーポストを挿入するためのバッテリーポスト挿入穴２を有するバッテリーターミナル本体３と、バッテリーポスト挿入穴２の径を縮径させるためのボルト４及びナット５と、外部端子接続用のスタッドボルト６及びナット（図示省略）とを備えて構成されている（例えば特許文献１参照）。
【０００３】
スタッドボルト６には、例えばヒュージブルリンクやスタータ等に電力を供給するためのケーブルが端子を介して接続されるようになっている。
【０００４】
以下、バッテリーターミナル本体３の具体的な構造を説明する。図３ないし図５において、バッテリーターミナル本体３は、一対の連結部７、７を有している。この連結部７、７の両側には、第一環状部８と第二環状部９とが連成されている。第一環状部８及び第二環状部９には、バッテリーポスト挿入穴２、２がそれぞれ貫通形成されている。
【０００５】
第一環状部８には、第一接合板１０が連成されている。この第一接合板１０には、一対の側壁１１、１１と複数の回転規制部１２とが形成されている。複数の回転規制部１２は、スタッドボルト６の頭部１３の側面１４に対して対向するように配置形成されている。
【０００６】
第二環状部９には、第二接合板１５が連成されている。この第二接合板１５には、スタッドボルト６の軸部１６のみを挿入可能とする軸部挿通孔１７と一対の側壁１８、１８とが形成されている。側壁１８、１８の間隔は、第一接合板１０の側壁１１、１１の間隔よりも広く形成されている。側壁１８、１８の突出先端には、片状の折り曲げ部１９、１９が連成されている。
【０００７】
上記構成において、バッテリーターミナル本体３は、次のような第一〜第三工程を経て製造される。
【０００８】
第一工程では、スタッドボルト６の軸部１６を軸部挿通孔１７に挿入する作業が行われる。この時、スタッドボルト６は、矢線方向に落とし込まれるような状態となり、軸部１６が第二接合板１５の内側から外側に向けて挿入される。第一工程が完了すると第二工程へ移行する。
【０００９】
第二工程では、連結部７、７を折り曲げて第一接合板１０を第二接合板１５側に重ねる作業が行われる。この時、第一接合板１０がスタッドボルト６の頭部１３における頂面２０上に配置されるとともに、複数の回転規制部１２が頭部１３の側面１４に対向するように配置される。第二工程が完了すると第三工程へ移行する。
【００１０】
第三工程では、第二接合板１５の折り曲げ部１９、１９を第一接合板１０側に折り曲げる作業が行われる。これにより一連の作業工程が完了する。折り曲げ部１９、１９が第一接合板１０側に折り曲げられると、第一接合板１０及び第二接合板１５の不用意な開きが防止される。
【特許文献１】特開２００３−３１７７００号公報
【発明の開示】
【発明が解決しようとする課題】
【００１１】
上記従来技術にあっては、ボルト４及びナット５をバッテリーターミナル本体３から取り外すことは容易であるが、スタッドボルト６に関しては、この取り外しが非常に困難な構造となっている。従って、リサイクルしようとしても、材質が銅のバッテリーターミナル本体３と材質が鉄のスタッドボルト６とを分別することは構造上困難であり、結果、単なる鉄屑として処分されてしまうという問題点を有している。従来のバッテリーターミナル１は、リサイクルを考慮した構造になっていないという問題点を有している。
【００１２】
本発明は、上述した事情に鑑みてなされたもので、バッテリーターミナル本体とスタッドボルトとを分別することが可能なバッテリーターミナルを提供することを課題とする。
【課題を解決するための手段】
【００１３】
上記課題を解決するためになされた請求項１記載の本発明のバッテリーターミナルは、軸部及び頭部を有するスタッドボルトと、前記軸部を挿通するための軸部挿通孔を有するバッテリーターミナル本体とを備えるバッテリーターミナルにおいて、前記バッテリーターミナル本体に嵌合して前記頭部を押さえる着脱式の頭部押さえ具を更に備えることを特徴としている。
【００１４】
このような特徴を有する本発明によれば、バッテリーターミナル本体の軸部挿通孔にスタッドボルトの軸部を挿通し、この状態で着脱式の頭部押さえ具をバッテリーターミナル本体に嵌合させると、スタッドボルトの頭部が頭部押さえ具により押さえ込まれ、スタッドボルトはバッテリーターミナル本体に固定される。本発明によれば、頭部押さえ具を取り外すことで、バッテリーターミナル本体とスタッドボルトとの分別が可能となる。
【００１５】
請求項２記載の本発明のバッテリーターミナルは、請求項１に記載のバッテリーターミナルにおいて、前記頭部押さえ具を樹脂製とすることを特徴としている。このような特徴を有する本発明によれば、樹脂の弾力性により頭部押さえ具の着脱が容易になる。また、製造性が向上しコスト増加も抑えられる。
【発明の効果】
【００１６】
請求項１に記載された本発明によれば、バッテリーターミナル本体とスタッドボルトとを分別することができるという効果を奏する。リサイクルを考慮した構造のバッテリーターミナルを提供することができるという効果を奏する。
【００１７】
請求項２に記載された本発明によれば、頭部押さえ具の着脱性及び製造性の向上を図ることができるという効果を奏する。また、コスト増加を最低限に抑えることができるという効果も奏する。
【発明を実施するための最良の形態】
【００１８】
以下、図面を参照しながら説明する。図１は本発明のバッテリーターミナルの一実施の形態を示す分解斜視図である。また、図２はバッテリーターミナルの斜視図である。尚、従来例と同一の構成部材には同一の符号を付して詳細な説明を省略する。
【００１９】
図１及び図２において、引用符号３１は本発明のバッテリーターミナルを示している。このバッテリーターミナル３１は、バッテリーポストを挿入するためのバッテリーポスト挿入穴２を有するバッテリーターミナル本体３２と、バッテリーポスト挿入穴２の径を縮径させるためのボルト４及びナット５と、外部端子接続用のスタッドボルト６及びナット（図示省略）と、頭部押さえ具３３とを備えて構成されている。
【００２０】
バッテリーターミナル本体３２は、一対の連結部７、７を有しており、この連結部７、７の両側には、第一環状部８と第二環状部９とが連成されている。第一環状部８及び第二環状部９には、バッテリーポスト挿入穴２、２がそれぞれ貫通形成されている。
【００２１】
第一環状部８には、第一接合部３４が連成されている。この第一接合部３４には、一対の側壁３５、３５と、一つの回転規制部１２とが形成されている。一対の側壁３５、３５との間には、スタッドボルト６の頭部１３を収納する頭部収納空間３６が形成されている。回転規制部１２は、スタッドボルト６の頭部１３の一つの側面１４に対して対向するように配置形成されている。一対の側壁３５、３５には、それぞれ矩形状に貫通する嵌合部３７が複数形成されている（本形態では二つずつ形成する。数はこの限りでないものとする）。
【００２２】
第二環状部９には、第二接合部３８が連成されている。この第二接合部３８には、スタッドボルト６の軸部１６のみを挿入可能とする軸部挿通孔１７（図４参照）と一対の側壁１８、１８とが形成されている。側壁１８、１８の間隔は、第一接合部３４の側壁３５、３５の間隔よりも広く形成されている。側壁１８、１８の突出先端には、折り曲げ部３９、３９が連成されている。第二接合部３８は、折り曲げ部３９、３９の長さが短くなっただけで、基本的には従来例の第二接合板１５と同じ構造になっている。
【００２３】
頭部押さえ具３３は、バッテリーターミナル本体３２に対し着脱自在となる別体部材として備えられている。頭部押さえ具３３は、基板部４０と、この基板部４０の側部４１、４１に連続する複数の係止突起部４２とを有している。基板部４０は、平面視矩形状に形成されている。基板部４０は、スタッドボルト６の頭部１３における頂面２０に面接触してこれを押さえることができるように形成されている。基板部４０は、頭部収納空間３６を覆うように形成されている。係止突起部４２は、各側部４１に二つずつ形成されている（一例であるものとする）。係止突起部４２は、可撓性を有している。係止突起部４２は、第一接合部３４の嵌合部３７に嵌合係止されるような爪状の部分を有している。
【００２４】
本形態の頭部押さえ具３３は、特に限定するものではないが、樹脂材料を用いて成形された樹脂成形品であるものとする。尚、樹脂材料としては、ポリプロピレン（ＰＰ）などが使用可能な材料として挙げられるものとする。
【００２５】
上記構成において、バッテリーターミナル本体３２は、次のような第一〜第三工程を経て製造される。
【００２６】
第一工程では、連結部７、７を折り曲げて第一接合部３４を第二接合部３８側に重ねる作業が行われる。また、第二接合部３８の折り曲げ部３９、３９を第一接合部３４側に折り曲げる作業が行われる。折り曲げ部３９、３９は、第一接合部３４の側壁３５、３５を押さえ込み、これによって第一接合部３４及び第二接合部３８の不用意な開きが防止される。第一工程が完了すると第二工程へ移行する。
【００２７】
第二工程では、スタッドボルト６の軸部１６を軸部挿通孔１７（図４参照）に挿入する作業が行われる。この時、スタッドボルト６は、矢線方向に落とし込まれるような状態となり、軸部１６が第二接合部３８の内側から外側に向けて挿入される。第二工程が完了すると第三工程へ移行する。
【００２８】
第三工程では、頭部押さえ具３３を第一接合部３４に嵌合させる作業が行われる。頭部押さえ具３３の係止突起部４２が第一接合部３４の嵌合部３７に嵌合すると、スタッドボルト６の頭部１３は頭部押さえ具３３によって押さえ込まれる。これによりスタッドボルト６は、バッテリーターミナル本体３２に対し固定され、一連の作業工程が完了する。
【００２９】
例えば、リサイクルの必要性がある場合、頭部押さえ具３３の嵌合係止状態を解除したり、又は頭部押さえ具３３を破壊したりすれば、バッテリーターミナル本体３２とスタッドボルト６との分別が可能になる。バッテリーターミナル３１は、リサイクルを考慮した構造を有している。
【００３０】
その他、本発明は本発明の主旨を変えない範囲で種々変更実施可能なことは勿論である。
【図面の簡単な説明】
【００３１】
【図１】本発明のバッテリーターミナルの一実施の形態を示す分解斜視図である。
【図２】バッテリーターミナルの斜視図である。
【図３】従来例のバッテリーターミナルの斜視図である。
【図４】従来例のバッテリーターミナルの構造及び製造説明図である。
【図５】従来例のバッテリーターミナルの構造及び製造説明図である。
【符号の説明】
【００３２】
６  スタッドボルト
１３  頭部
１６  軸部
１７  軸部挿通孔
３１  バッテリーターミナル
３２  バッテリーターミナル本体
３３  頭部押さえ具
３４  第一接合部
３５  側壁
３６  頭部収納空間
３７  嵌合部
３８  第二接合部
３９  折り曲げ部
４０  基板部
４１  側部
４２  係止突起部
【図１】
2007165176.tif 000003
【図２】
2007165176.tif 000004
【図３】
2007165176.tif 000005
【図４】
2007165176.tif 000006
【図５】
2007165176.tif 000007